(57)【要約】      （修正有）【課題】漏洩および滴漏れを防止する押し付けノズル構造を提供する。【解決手段】押し付けノズル１００を含み、該押し付けノズル１００は容器の上に封止され、該容器内の液体を押し出して用いられる。押し付けノズルはＬ型導管１の一端と接続し、Ｌ型導管１の他端が出口端５で、出口端５の内部に滲み洩れ・滴漏れ止めバルブ２を設置し、滲み洩れ・滴漏れ止めバルブ２が切替可能なワーク素子で、その上に、隙間７を設置することにより、押し付けノズル１００を操作する時に、出口端５より液体を押し出す。押し付けノズル１００の作業を中止する時に、該滲み洩れ・滴漏れ止めバルブ２が直ちに元の密封状態に回復し、残留の液体を妨害し、滲み出すことはない。更に出口端５が防塵マスク３と接続し、防塵マスク３は、Ｌ型導管１の出口端５を密封するか、または開放するように用いられ、密封時に、防塵および外来の雑物汚染防止の機能を有する。【選択図】図１
0003178895.tif 000002
【実用新案登録請求の範囲】
【請求項１】
押し付けノズルを含んでなり、液体を容置する容器の上に封止される押し付けノズル構造であって、
Ｌ型導管、滲み洩れ・滴漏れ止めバルブ、防塵マスクを備え、
該Ｌ型導管はその両端に接続端と出口端をそれぞれ設置し、該接続端と該出口端との間に流路が形成され、該接続端は該押し付けノズルと接続し、該押し付けノズルを操作することにより、該容器内の液体が、該流路を経由して該出口端へ流れ出し、
滲み洩れ・滴漏れ止めバルブは、シリコーンゴム・リング、ゴム・リング又はプラスチック・リングで形成され、該Ｌ型導管の該出口端に設置され、該滲み洩れ・滴漏れ止めバルブの上に隙間を設置し、該液体の滲み出しを妨害でき、該押し付けノズルを操作する時に限り、該出口端より該液体を押し出し、
防塵マスクは帯体により、該出口端の付近の該Ｌ型導管の上に接続され、該出口端を密封または開放するように用いられ、該液体を押し出すか、或いは密封する時に、防塵し且つ外来の雑物汚染を防止し、該防塵マスクのエッジに掛止部が設置され、該掛止部は該出口端に固定されることを特徴とする、漏洩および滴漏れを防止する押し付けノズル構造。
【請求項２】
該滲み洩れ・滴漏れ止めバルブの内側には、凸延伸構造を設置することにより、抗圧力を増加することを特徴とする、請求項１に記載の漏洩および滴漏れを防止する押し付けノズル構造。
【請求項３】
該滲み洩れ・滴漏れ止めバルブの一端には、固定リングを設置し、該固定リングにより、該滲み洩れ・滴漏れ止めバルブを該出口端に固定し、或いは該固定リングを取り外すことにより、該滲み洩れ・滴漏れ止めバルブの切替を行うことを特徴とする、請求項１に記載の漏洩および滴漏れを防止する押し付けノズル構造。
【考案の詳細な説明】
【技術分野】
【０００１】
本考案は、ノズル構造に係り、特に滲み洩れ・滴漏れ止めバルブを有して内容物の滲み洩れ・滴漏れを防止し、且つ出口端に防塵マスクを設置することにより、ひいては未使用時に管口を密封することにより外物の汚染、例えば蟻、ゴキブリを避け、清潔および衛生のノズル構造の使用を維持することができる、漏洩および滴漏れを防止する押し付けノズル構造に関する。
【背景技術】
【０００２】
目前に押し付け構造を有する容器・瓶が既に相当に遍く使用され、常に見えるのは、例えば飲食に関連する容器・瓶，調味料缶または例えば衛浴方面の使用する清潔用品容器などである。その特色は、これらの押し付け使用の容器・瓶が押し付けの方式により制御を行い、ユーザーが軽く下向きに押さえるに限り、容器・瓶内の液体を押し出してもよく、その流速の制御が簡単で、従って適当な液体の取得に寄与でき、浪費を避け、且つ操作時にユーザーの肢体を直接に接触できず、更に衛生に合致する使用方法である。
【０００３】
然しながら、既に周知の押し付け式容器・瓶が相当に使用しやすくなる。但し使用上に依然として問題が存在し、ユーザーが悩んでいる。その中でも、最大な問題は、毎度押し付けの毎に、液体の流れ切りを確実に保証・確保しにくいということである。液体が粘着性を有し、且つその成分の相違に根拠して粘着性の差異が非常に大きくなるので、周知の押し付け構造内に、自然に鋭い角、しわ、粗末面などの現象が存在し、液体が該周知の押し付け構造内に累積しやすくなり、更に時間に連れてゆっくりと流れ出す。従って、大勢の人々は、該周知の押し付け式容器・瓶を使用して終了した後に、周辺の環境に対して整理を行なってもよい。但し、一段の時間が過ぎた後に、依然として該周知の押し付け式容器・瓶の付近に残留のしつこい汚れが見られる。一般のしつこい汚れの清潔が、また大丈夫であるが、高い侵食性を有する清潔剤であれば、或いは時間により変質を生成する斑点であれば、その清潔も面倒な作業となる。甚だしきに至っては、流れ出す液体が食品の調味料であれば、自然にゴキブリ、蟻、ハエ、蚊、鼠などの害虫を吸引する恐れがあり、衛生および健康に影響を及ぼす。
【０００４】
これより了解できるのは、前述の慣用の品物が、依然として沢山の欠点を有し、本当に良好な設計ではなく、そしてより改良する必要があるものである。
【０００５】
本考案者は、前述の慣用の品物により及ぼされた各項目の欠点に鑑み、より改良・革新しようとすると考え、且つ多年にわたり苦心して優れた境地に至って研究した後に、遂に本考案の漏洩および滴漏れを防止する押し付けノズル構造の研究、開発、完成に成功した。
【先行技術文献】
【特許文献】
【０００６】
【特許文献１】なし
【考案の概要】
【考案が解決しようとする課題】
【０００７】
本考案の主な目的は、液体の流れ出しを有効に密封し、環境の清潔および衛生を維持することができる、漏洩および滴漏れを防止する押し付けノズル構造を提供することにある。
【０００８】
本考案の他の目的は、密封の設計が昆虫または埃が容器に入り込んで汚染を生成することを避けると共に、関連人々の健康を保護することができる漏洩および滴漏れを防止する押し付けノズル構造を提供することにある。
【０００９】
本考案の更なる他の目的は、構造が簡単で、操作が簡易で、且つ快速に解体・組立でき、押し出しモードを採用することにより、如何なる容器・瓶に遍く使用でき、用途が極めて広範である、漏洩および滴漏れを防止する押し付けノズル構造を提供することにある。
【課題を解決するための手段】
【００１０】
上記課題を解決するため、本考案は、漏洩および滴漏れを防止する押し付けノズル構造で、押し付けノズルを一つ含んでなり、該押し付けノズルが容器の上に封止され、該容器内の液体を押し出して流れ出すように用いられる。該押し付けノズルが、L型導管を接続してなり、該L型導管の他端が出口端で、該出口端の内部に滲み洩れ・滴漏れ止めバルブを設置し、該滲み洩れ・滴漏れ止めバルブが切替可能なワーク素子で、該滲み洩れ・滴漏れ止めバルブの上に、隙間を設置してなることにより、該押し付けノズルが操作する時に、該出口端より該液体を押し出してもよい。該押し付けノズルが作業を中止する時に、該滲み洩れ・滴漏れ止めバルブが直ちに元の密封状態に回復し、残留の液体を妨害し、そして滲み出すことがない。更に該出口端が防塵マスクを接続してなり、該防塵マスクが、該L型導管の該出口端を密封または開放するように用いられ、該液体の押し出し作業の進行を開放する以外に、密封時に、防塵および外来の雑物汚染防止の機能を更に有する。
【考案の効果】
【００１１】
本考案の漏洩および滴漏れを防止する押し付けノズル構造は、従来の技術と異なり、液体の流れ出しを有効に密封する構造を有効に提供し、環境の清潔および衛生を維持することができる。同時に該密封の設計も、昆虫または埃が容器に入り込んで汚染を生成することを回避することができ、ひいては関連人々の健康を保護することができる。
【図面の簡単な説明】
【００１２】
【図１】本考案の押し付けノズル構造の斜視図である。
【図２】該押し付けノズルの防塵マスクの使用例の斜視図である。
【図３】該押し付けノズルの構造断面図である。
【図４】該押し付けノズルの防塵マスクの使用例の構造断面図である。
【図５】該押し付けノズルの構造側面図である。
【図６】該押し付けノズルの防塵マスクの使用例の構造側面図である。
【考案を実施するための形態】
【００１３】
以下、本考案の実施形態を図に基づいて説明する。
【００１４】
本考案は、図１と図２に示すように、主として押し付けノズル１００を一つ含んでなり、液体を容置する容器（図示せず）の上に封止される。該押し付けノズル１００はＬ型導管１と接続し、該Ｌ型導管１の末端には、滲み洩れ・滴漏れ止めバルブ２と防塵マスク３を設置することにより、液体の滲み洩れ・滴漏れを完全に断絶し、清潔と衛生を維持・保護する。
【００１５】
該Ｌ型導管１は、図３〜図６に示すように、その両端にそれぞれ接続端４と出口端５を設置し、該接続端４と該出口端５との間に流路６と接続し、その中でも、該接続端４は該押し付けノズル１００と接続し、該押し付けノズル１００を操作することにより、該容器内の液体が、該流路６を経由して該出口端５へ流れ出す。
【００１６】
該滲み洩れ・滴漏れ止めバルブ２は、該L型導管１の該出口端５に設置され、該滲み洩れ・滴漏れ止めバルブ２の上に隙間７を設置し、該液体の滲み出しを妨害でき、該押し付けノズル１００が操作する時に限り、該出口端５より該液体を押し出してもよい。具体的に言えば、該滲み洩れ・滴漏れ止めバルブ２は、シリコーンゴム・リング，ゴム・リング又はプラスチック・リングで、或いは他の構造が簡単で且つ安全衛生で最も重要な弾性を有する材質・品物である。該隙間７を弾性的に加圧・密封することにより、比較的大きな外力（該押し付けノズル１００の操作により大量の液体が流れ出すこと）を受け入れる時に、外力が該滲み洩れ・滴漏れ止めバルブ２の弾力よりも大きくなるため、該隙間７を伸ばし開き、該液体の流れ出しを招く。該隙間７の形状に拘らず、例えば本実施例の十字形または米字形、ひいては放射状パターンであってもよい。但し、多すぎる隙間７が弾力を減少することにより、漏洩および滴漏れを防止する力を低減すると考量する必要がある。
【００１７】
その他に、該滲み洩れ・滴漏れ止めバルブ２の一端に、固定リング８を設置し、該固定リング８により、該滲み洩れ・滴漏れ止めバルブ２を該出口端５に固定し、或いは該固定リング８を取り卸し、該滲み洩れ・滴漏れ止めバルブ２の切替を行なってもよい。従って該滲み洩れ・滴漏れ止めバルブ２が消耗性素子で、切替により該押し付けノズル１００の使用寿命を増加できる。そして、該固定リング８は、如何なる掛止、ねじ山などの方式を使用することにより、該押し付けノズル１００の内に固定でき、ここに余計な陳述を省略する。
【００１８】
該滲み洩れ・滴漏れ止めバルブ２により、既に該液体の滲み洩れ・滴漏れを有効に防止でき、ひいては該出口端５に防塵マスク３を設置でき、該防塵マスク３が、帯体１０により該出口端５の付近の該Ｌ型導管１の上に接続され、該出口端５を密封または開放するように用いられてもよい。該液体の流れ出しを防止する以外に、更に昆虫または埃が該出口端５に入り込んで汚染を生成することを、避けてもよい。漏洩を確実に防止するために、該防塵マスク３のエッジに掛止部９を設置することにより、該出口端５に固定するように寄与する。
【００１９】
上述の詳細な説明は、本考案に対して実行可能な実施例の具体的な説明で、該実施例が本考案の実用新案登録請求の範囲を限定するために用いられるものではなく、例えば本考案の技術精神をまだ逸脱しない下で完成された等価な実施または変更が、何れも本考案の実用新案登録請求の範囲中に含まれるべきである。
【符号の説明】
【００２０】
１：Ｌ型導管   
２、２’：滲み洩れ・滴漏れ止めバルブ
３：防塵マスク
４：接続端
５：出口端
６：流路
７：隙間
８：固定環
９：掛止部
１０：帯体
１００：押し付けノズル
【図１】
0003178895.tif 000003
【図２】
0003178895.tif 000004
【図３】
0003178895.tif 000005
【図４】
0003178895.tif 000006
【図５】
0003178895.tif 000007
【図６】
0003178895.tif 000008